(57)【要約】【課題】  構造の強度が増加され、且つ収納空間が拡大される一方、軽量化することができると共に、きれいにし易くて多様な外形のデザイン性も有するバッグを提供しようとする。【解決手段】  周壁及び上開口を有し、且つ硬質的な材質で一体成型になったバッグ本体と、前記周壁の外表面に脱着可能に付設されている収納袋とを備えてなったバッグ。【選択図】  図１
2006223385.tif 000002
【特許請求の範囲】
【請求項１】
周壁及び上開口を有し、且つ硬質的な材質で一体成型になったバッグ本体と、
前記周壁の外表面に脱着可能に付設されている収納袋とを備えてなったバッグ。
【請求項２】
周壁及び上下２開口を有し、且つ硬質的な材質で一体成型になったバッグ本体と、
前記バッグ本体に脱着可能に固設されて前記下開口を遮蔽している底板と、
前記周壁の外表面に脱着可能に付設されている収納袋とを備えてなったバッグ。
【請求項３】
周壁及び上下２開口を有し、且つ耐衝撃性の硬質的なプラスチック材で一体成型になったバッグ本体と、
前記バッグ本体に脱着可能に固設されて前記下開口を遮蔽している底板と、
複数の互いに離れた通孔が開けてあり、且つ前記バッグ本体に脱着可能に固設されて前記上開口の前記複数の通孔に当たる部分以外を遮蔽している上板と、
可撓性材料で作られてなっている上、前記周壁の外表面に脱着可能に付設されている収納袋とを備えてなっていてゴルフバッグとされるバッグ。
【請求項４】
前記バッグ本体の周壁と前記収納袋とは、前記バッグ本体の周壁に固設してある第１の係合手段と前記収納袋に固設してある第２の係合手段とで互いに脱着可能に係合していることを特徴とする請求項１乃至３のいずれか１項に記載のバッグ。
【請求項５】
前記周壁の外表面に更にそれ自体を携帯され易いようにさせる手段が脱着可能に付設されていることを特徴とする請求項４に記載のバッグ。
【発明の詳細な説明】
【技術分野】
【０００１】
本発明は、バッグに関し、特に重いスポーツ用具などを収納したまま携帯するためのバッグである。
【背景技術】
【０００２】
従来、重いスポーツ用具などを収納して携帯するための登山用バッグやゴルフバッグ・ボウリングバッグなどのバッグは、図３に示すゴルフバッグ１のように、重い物品を収納することができ、あるいは中に入った物品を保護することができるように、強靭性のより良い素材で作られたものが内部バッグ体１１とされ、該内部バッグ体１１の外に外部バッグ体１２が縫着され、また、必要に応じ、該外部バッグ体１２の表面にさらに他の収納袋１３が縫い合わせられてなったものである。
【０００３】
しかし、このようなバッグは、見栄えや品質感のために、外部バッグ体１２はもちろん、外部バッグ体１２と結び付け易いようにしようとするために、内部バッグ体１１も可撓性を有する素材を使ったので、ちょっと外力を受けたら、バッグ体の中身へ窪んだり歪んだりし、中に入った物品にも損傷を与えるようになったことが多い。なお、内部バッグ体１１と外部バッグ体１２とが縫着によって結び付けられたので、その中身の収納空間に、縫着の糸や布地などが突き出て、用具を収納する時の邪魔になった。しかも、糸や布地などそのものもバッグの重量を増した。また、内部バッグ体１１と外部バッグ体１２とが結び付けられた後、さらに縫い付けによって外部バッグ体１２の表面に固設された収納袋１３は、時々バッグをきれいにし難い原因となったし、それにバッグ全体の外形を拘束して消費者のいろいろな需要に応えられなかった。
【発明の開示】
【発明が解決しようとする課題】
【０００４】
前記欠点に鑑みて、本発明は、構造の強度が増加され、且つ収納空間が拡大される一方、軽量化することができると共に、きれいにし易くて多様な外形のデザイン性も有するバッグを提供しようとすることを目的とする。
【課題を解決するための手段】
【０００５】
前記目的を達成するために、本発明によるバッグは、周壁及び上開口を有し、且つ硬質的な材質で一体成型になったバッグ本体と、前記周壁の外表面に脱着可能に付設されている収納袋とを備えたことがその基本構成である。
【０００６】
該構成のもとで、使用の目的に応じ、本発明によるバッグは、周壁及び上下２開口を有し、且つ硬質的な材質で一体成型になったバッグ本体と、前記バッグ本体に脱着可能に固設されて前記下開口を遮蔽している底板と、前記周壁の外表面に脱着可能に付設されている収納袋とを備えてなったものになれる。
【０００７】
また、ゴルフバッグとされ得るために、本発明によるバッグは、周壁及び上下２開口を有し、且つ耐衝撃性の硬質的なプラスチック材で一体成型になったバッグ本体と、前記バッグ本体に脱着可能に固設されて前記下開口を遮蔽している底板と、複数の互いに離れた通孔が開けてあり、且つ前記バッグ本体に脱着可能に固設されて前記上開口の前記複数の通孔に当たる部分以外を遮蔽している上板と、可撓性材料で作られてなっている上、前記周壁の外表面に脱着可能に付設されている収納袋とを備えてなったものにもなれる。
【発明の効果】
【０００８】
前記のような本発明のバッグによれば、前記バッグ本体は硬質的な材質で一体成型になったものであるので、全体としての強度が増加され、バッグの中に収納した物品を確実に外力の衝撃から保護することができるばかりでなく、従来の縫着の糸や布地などの突起がなくなった分だけ収納空間が拡大されるし、バッグが軽量になる。
【０００９】
また、前記バッグ本体の周壁の外表面に収納袋、特に可撓性材料で作られてなった収納袋が付設されているので、その外観からみた材質が硬直感がなくて柔軟で品質感が良い。
【００１０】
また、前記収納袋と前記底板ないし上板は、脱着可能に設けられているので、前記バッグ本体から取り外して別々にすれば、バッグ全体をきれいにし易くて、様々な外形の収納袋を取り替えることもできる。
【発明を実施するための最良の形態】
【００１１】
本発明の前記目的とその他の目的、特徴及び利点は、図面を参照して行う以下の実施形態の詳細な説明から明らかになる。
【００１２】
図１は、本発明のバッグにかかるゴルフバッグとされる実施形態を示す側辺から見た縦断面図である。図２は、この実施形態の斜視図である。このバッグ２はゴルフバッグであり、バッグ本体２１と、底板２２と、上板２３と、収納袋２４とを備えてなったものである。
【００１３】
前記バッグ本体２１は、周壁２１１及び上下２開口２１２、２１３を有し、且つ耐衝撃性の硬質的なプラスチック材で一体成型になったものである。この硬質的なプラスチック材としては、一般的にＡＢＳ、ＰＣ、ＰＰあるいはカーボンファイバー強化樹脂複合材料が好ましいが、その強度が成形後の厚さにもかかわるので、バッグの用途によって決められれば良く、使用時に通常の衝撃を受けたら窪んだり歪んだりしない材質を選ぶのが原則である。
【００１４】
また、前記収納袋２４は、可撓性材料で作られてなったものであり、バッグ本体２１の周壁２１１に固設してある第１の係合手段３と収納袋２４に固設してある第２の係合手段２４１との係合で周壁２１１の外表面に脱着可能に付設されている。このようにして、バッグ２の用途に応じて多様な外形の収納袋２４を取り替えることができるばかりでなく、前記硬質的なプラスチック材で一体成型になったバッグ本体２１の硬直性を隠し、バッグ全体に柔軟感を与え、品質感を向上させることができる。
【００１５】
前記底板２２は、バッグ本体２に脱着可能に固設されて下開口２１３を遮蔽している。前記上板２３は、ここでゴルフバッグとされる目的に応じて、複数の互いに離れた通孔２３０が開けてあり、且つバッグ本体２に脱着可能に固設されて上開口２１２の前記複数の通孔２３０に当たる部分以外を遮蔽している。この構造では、ぞれぞれのゴルフクラブを前記複数の通孔２３０ごとに差して収納すると、ゴルフクラブが運送中の震動によってぐらぐらと揺れ動いて定まらないことはない。これらの底板２２、上板２３及び収納袋２４は、すべて脱着可能に設けられているので、別々またはバッグ全体を清潔にすることは簡単である。
【００１６】
なお、図２に示すように、周壁２１１の外表面に更にそれ自体を携帯され易いようにさせるショルダー・ストラップ２１４が脱着可能に付設されている。もちろん、傘差し２１５などその他の付設部材が周壁２１１の外表面に付け加えられてもいいということは言うまでもない。
【００１７】
以上の説明は単に本発明の好適な実施形態の一例としてのゴルフバッグについて述べたが、本発明を限定するものではない。たとえば、前記に上板２３に通孔２３０が開けてあると説明したが、他のスポーツ用具のバッグとされるなら、通孔２３０、さらに上板２３まで設けられなくてもよく、または、上板２３が通常の開閉できるカバーに変えられても良い。即ち、本発明の原理と目的において種々に変形や応用が可能である。
【産業上の利用可能性】
【００１８】
本発明は、重いスポーツ用具などを収納するための登山用バッグやゴルフバッグ・ボウリングバッグなどのバッグに適用される。
【図面の簡単な説明】
【００１９】
【図１】本発明のバッグにかかるゴルフバッグとされる実施形態を示す側辺から見た縦断面図。
【図２】この実施形態の斜視図。
【図３】ゴルフバッグとされる従来のバッグの斜視図。
【符号の説明】
【００２０】
２  バッグ
３  第１の係合手段
２１  バッグ本体
２２  底板
２３  上板
２４  収納袋
２１１  周壁
２１２  上開口
２１３  下開口
２１４  ショルダー・ストラップ
２１５  傘差し
２３０  通孔
２４１  第２の係合手段
【図１】
2006223385.tif 000003
【図２】
2006223385.tif 000004
【図３】
2006223385.tif 000005